(57)【要約】【課題】集塵装置が上下逆になっても細塵が外部へ流出しない電気掃除機を提供する。【解決手段】電動送風機（図示せず）を収容した掃除機本体（図示せず）に着脱可能で、電動送風機で吸引された含塵空気から塵埃を分離して捕集する集塵装置１４を備え、集塵装置１４は、塵埃と空気を分離する第１分離部１１１で分離しきれなかった細塵と空気とを遠心分離方式で分離する分離筒１２１を備えた第２分離部１２２と、分離筒１２１と連通し第２分離部１２２で分離された細塵が送られる細塵移送部１２５と、細塵移送部１２５と連通し細塵を収容する細塵収容部１９を備え、細塵収容部１９を細塵移送部１２５の下方に設けた下方細塵収容部１２９と連通し細塵移送部１２５の上方に設けた上方細塵収容部１３０で構成したもので、掃除作業時に集塵装置１４が上下逆になっても下方細塵収容部１２９内の塵埃が上方細塵収容部１３０に移動するだけで外部に流出することがない。【選択図】図３
2020044061.tif 000002
【特許請求の範囲】
【請求項１】
電動送風機を収容した掃除機本体と、前記掃除機本体に着脱可能に設けられ、前記電動送風機により吸引される含塵空気から塵埃を分離して捕集する集塵装置とを備え、前記集塵装置は、塵埃と空気とを分離する第１分離部と、前記第１分離部で分離しきれなかった細塵と空気とを遠心分離方式で分離する分離筒を備えた第２分離部と、前記分離筒と連通し、前記第２分離部で分離された細塵が送り込まれる細塵移送部と、前記細塵移送部と連通し、細塵を収容する細塵収容部とを備え、前記細塵収容部を、前記細塵移送部よりも下方に設けられた下方細塵収容部と、前記下方細塵収容部と連通し、前記細塵移送部よりも上方に設けられた上方細塵収容部とで構成したことを特徴とする電気掃除機。
【請求項２】
集塵装置は、掃除機本体に傾いて取り付けられ、細塵収容部は、前記集塵装置の外周側かつ下方になる位置に設けられた請求項１に記載の電気掃除機。
【請求項３】
分離筒は、分離された空気を排気する排気口と、分離された細塵を廃棄する細塵廃棄口を有し、前記細塵廃棄口は、細塵移送部の天面よりも下方になるよう構成された請求項１または２に記載の電気掃除機。
【発明の詳細な説明】
【技術分野】
【０００１】
本発明は、空気と細塵とを分離する分離機構と、分離された細塵を収容する細塵収容部とを有する集塵装置を用いた電気掃除機に関するものである。
【背景技術】
【０００２】
従来、この種の電気掃除機の集塵装置は、遠心力により空気と細塵とを分離する分離筒と、空気と分離された細塵を収容する細塵収容部と、分離筒下部に設けられ細塵収容部へ細塵を移送するための傾斜部を有する細塵移送部とで構成されている（例えば、特許文献１参照）。
【０００３】
また、上方に分離筒のない場所へ細塵を移送するための傾斜部を有する細塵移送部を持つものもある（例えば、特許文献２参照）。
【先行技術文献】
【特許文献】
【０００４】
【特許文献１】特開２０１７−２３２３１号公報
【特許文献２】特開２０１４−３３８７９号公報
【発明の概要】
【発明が解決しようとする課題】
【０００５】
しかしながら、上記特許文献１に記載された従来の電気掃除機の集塵装置の構成では、キャニスタータイプの電気掃除機などに用いる場合、集塵装置の位置が固定されるため問題がないが、スティックタイプに用いた場合、天井などの高所掃除の際に、集塵装置が上下逆の位置になるため、細塵収容部に収容された細塵が、逆流して分離筒から集塵装置外部へ流出してしまうという課題を有していた。
【０００６】
また、上記特許文献２に記載された従来の電気掃除機の集塵装置の構成では、上方に分離筒のないところに細塵を移送しているため、集塵装置を上下逆にしても細塵が逆流して分離筒から集塵装置外部へ流出することはないが、全周にわたって分離筒を設けることができないため、集塵装置が大型化するという課題を有していた。
【０００７】
本発明は、前記従来の課題を解決するもので、集塵装置が上下逆になった場合でも、塵埃が逆流して分離筒から集塵装置外部へ流出することを抑制可能な集塵装置を有する電気掃除機を提供することを目的とする。
【課題を解決するための手段】
【０００８】
前記従来の課題を解決するために、本発明の電気掃除機は、電動送風機を収容した掃除機本体と、前記掃除機本体に着脱可能に設けられ、前記電動送風機により吸引される含塵空気から塵埃を分離して捕集する集塵装置とを備え、前記集塵装置は、塵埃と空気とを分離する第１分離部と、前記第１分離部で分離しきれなかった細塵と空気とを遠心分離方式で分離する分離筒を備えた第２分離部と、前記分離筒と連通し、前記第２分離部で分離された細塵が送り込まれる細塵移送部と、前記細塵移送部と連通し、細塵を収容する細塵収容部とを備え、前記細塵収容部を、前記細塵移送部よりも下方に設けられた下方細塵収容部と、前記下方細塵収容部と連通し、前記細塵移送部よりも上方に設けられた上方細塵収容部とで構成したもので、通常使用時に第２分離部で分離され、細塵移送部を通り、下方細塵収容部に収容された塵埃が、天井などの高所掃除の際に集塵装置が上下逆になっても、重力により上方細塵収容部に移動するため、塵埃が逆流して分離筒から集塵装置外部へ
流出することを抑制することが可能となる。
【発明の効果】
【０００９】
本発明の電気掃除機は、集塵装置を上下逆に使用しても塵埃が逆流して分離筒から集塵装置外部へ流出することを抑制することが可能となる。
【図面の簡単な説明】
【００１０】
【図１】本発明の実施の形態１における電気掃除機の通常使用時の正面図
【図２】同電気掃除機の集塵装置の斜視図
【図３】同集塵装置の断面図
【図４】同電気掃除機の高所掃除使用時の正面図
【図５】（ａ）下方細塵収容部がない場合の高所掃除使用時の集塵装置の断面図、（ｂ）本発明の実施の形態１における高所掃除使用時の集塵装置の断面図
【発明を実施するための形態】
【００１１】
第１の発明は、電動送風機を収容した掃除機本体と、前記掃除機本体に着脱可能に設けられ、前記電動送風機により吸引される含塵空気から塵埃を分離して捕集する集塵装置とを備え、前記集塵装置は、塵埃と空気とを分離する第１分離部と、前記第１分離部で分離しきれなかった細塵と空気とを遠心分離方式で分離する分離筒を備えた第２分離部と、前記分離筒と連通し、前記第２分離部で分離された細塵が送り込まれる細塵移送部と、前記細塵移送部と連通し、細塵を収容する細塵収容部とを備え、前記細塵収容部を、前記細塵移送部よりも下方に設けられた下方細塵収容部と、前記下方細塵収容部と連通し、前記細塵移送部よりも上方に設けられた上方細塵収容部とで構成したもので、通常使用時に第２分離部で分離され、細塵移送部を通り、下方細塵収容部に収容された塵埃が、天井などの高所掃除の際に集塵装置が上下逆になっても、重力により上方細塵収容部に移動するため、塵埃が逆流して分離筒から集塵装置外部へ流出することを抑制することが可能となる。
【００１２】
第２の発明は、特に、第１の発明の集塵装置は、掃除機本体に傾いて取り付けられ、細塵収容部は、前記集塵装置の外周側かつ下方になる位置に設けられたもので、細塵移送部から細塵収容部へ細塵を重力を用いて効果的に移送することができる。
【００１３】
第３の発明は、特に、第１または第２の発明の分離筒は、分離された空気を排気する排気口と、分離された細塵を廃棄する細塵廃棄口を有し、前記細塵廃棄口は、細塵移送部の天面よりも下方になるよう構成されたもので、集塵装置を上下逆に使用した際に、細塵が細塵廃棄口から分離筒へ逆流することを抑制することが可能となるため、分離筒から排気口を通って外部に細塵が流出することを抑制することが可能となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機の通常使用時の正面図、図２は、同電気掃除機の集塵装置の斜視図、図３は、同電気掃除機の集塵装置の断面図、図４は、同電気掃除機の高所掃除使用時の正面図、図５（ａ）は、下方細塵収容部がない場合の高所掃除使用時の集塵装置の断面図、（ｂ）本発明の実施の形態１における高所掃除使用時の集塵装置の断面図である。
【００１６】
本実施の形態における電気掃除機をスティック型の電気掃除機を例に説明する。
【００１７】
図１において、本実施の形態における電気掃除機１０は、掃除機本体１１と、吸引具１
２とパイプ１３とパイプ１３内の流路（図示せず）と導入口（図示せず）を介して連通される集塵装置１４と、集塵装置１４と排気口（図示せず）を介して連通する電動送風機（図示せず）を内包する電動送風機ケース１５と、集塵装置１４と電動送風機ケース１５との間に配され集塵装置１４で取り切れなかった細塵が電動送風機に侵入することを防ぐプリーツフィルタ１６と、電動送風機の排気を外部へ排気する本体排気口１７と、電動送風機などに電力を供給するためのバッテリー（図示せず）を内包するバッテリーケース１８を備えている。また、集塵装置１４の外側かつ下方になる位置には、後述する細塵収容部１９が備えられている。
【００１８】
次に、集塵装置１４について図２〜４を用いて詳細に説明する。
【００１９】
図２に示すように、集塵装置１４は、外郭であるケース１０２と、ケース１０２の下面を覆い、ケース１０２に回動自在に軸支された塵埃排出蓋１０４とから構成されている。
【００２０】
ケース１０２は、吸引した塵埃をケース１０２内に導く導入口１０７を形成している。導入口１０７は、ケース１０２の接線方向に向くように形成されている。
【００２１】
塵埃排出蓋１０４は、ケース１０２に設けたヒンジ部１０８で回動可能で、塵埃排出蓋１０４に取り付けられた底蓋パッキン（図示せず）によってケース１０２とエアータイト（気密性が保持）される。
【００２２】
また、図３に示すように、集塵装置１４内下部は、第１分離部１１１と、粗塵収容部１１２と、塵埃排出蓋１０４とから構成されている。第１分離部１１１は、塵埃を含む空気を導入する導入口１０７を備えたケース上部１１３と、ケース上部１１３の下方に配され、導入口１０７から導入した含塵空気から塵埃をろ過する略円筒形状のろ過フィルタ１１４及び、ろ過フィルタ１１４の外周側にろ過フィルタ１１４の内周側と連通している空間１１５を有したケース下部１１６とから構成されている。導入口１０７は、ケース上部１１３の内部に設けた中空円筒１１７に対し、その円周断面の接線方向から気流が流入するように、偏心した位置に配置されている。
【００２３】
第１分離部１１１の上方には、空間１１５と連通し、第１分離部１１１を通過した含塵空気中の塵埃を分離する分離筒１２１を複数かつ並列に有した第２分離部１２２が配設されている。また、第２分離部１２２で分離された細塵を収容する細塵収容部１９が、第１分離部１１１の外側に設けられるとともに、第２分離部１２２と第１分離部１１１の間には、第２分離部１２２で分離された細塵を細塵収容部１９に落下させるように細塵収容部１９と連通した細塵移送部１２５を備えた構成となっている。
【００２４】
ここで、細塵移送部１２５の底面１２６は、第２分離部１２２で分離された細塵が細塵収容部１９に落下しやすいように金属メッキ処理を施すことが望ましい。
【００２５】
そして、分離筒１２１下部の細塵廃棄口１２７が細塵移送部１２５の天面１２８から細塵移送部１２５へ飛び出した形で構成されている。
【００２６】
細塵収容部１９は、導入口１０７と逆側に配設されており、細塵移送部１２５よりも下方の下方細塵収容部１２９と、細塵移送部１２５よりも上方の上方細塵収容部１３０とで構成されている。
【００２７】
また、塵埃排出蓋１０４を開けることによって、粗塵収容部１１２に集塵された塵埃と、細塵収容部１９に集塵された塵埃とを同時に排出可能な構成としている。そして、分離筒１２１上部には排気筒１４１が設けられ、第２分離部１２２によって分離された空気が
排気筒１４１を通って排気口１０５より集塵装置１４の外部へ排気される構成となっている。
【００２８】
以上のように構成された本実施の形態における電気掃除機の集塵装置１４について、以下その動作、作用を説明する。
【００２９】
まず、電動送風機の運転を開始することで吸引気流が発生し、含塵空気が導入口１０７から集塵装置１４に吸い込まれる。
【００３０】
ここで、導入口１０７は、ケース上部１１３の内部に設けた中空円筒１１７に対し、その円周断面の接線方向から気流が流入するように、偏心した位置に配置させている。このように導入口１０７を配置することで、導入口１０７よりケース上部１１３の中空円筒１１７内に流入した含塵空気は、中空円筒１１７内周面に沿って流れるため、それまでの直線的な気流がここで旋回気流に変わることになる。
【００３１】
ここで、本実施の形態では、導入口１０７をケース上部１１３の中空円筒１１７内周接線方向に配置させて旋回気流を発生させているが、導入口１０７が中央に位置していても図示しない案内路やガイド等で旋回気流が発生する構成であってもよい。
【００３２】
さらに、ろ過フィルタ１１４が、導入口１０７を有するケース上部１１３の下方に配置されているため、旋回しながら下降する斜め螺旋軌道の流れが生じる。この旋回下降気流は、ろ過フィルタ１１４の表面を滑りながら下方へと流れて行く。そして、空気よりも重量がある粗塵は、その慣性力によってそのまま旋回下降し、粗塵収容部１１２に収容される。
【００３３】
一方、空気及びろ過フィルタ１１４の通気孔（図示せず）よりも小さい細塵は、ろ過フィルタ１１４の外周側に位置し、ろ過フィルタ１１４の内周側と連通している空間１１５を経て、第２分離部１２２へと流れる。このようにして、第１分離部１１１において粗塵と、細塵を含んだ空気との分離を行っている。
【００３４】
本実施の形態では、ろ過フィルタ１１４の外周全面に無数の通気孔（図示せず）を設けており、ろ過フィルタ１１４は、厚さ０．１５ｍｍの金属板をエッチング加工で、約０．２ｍｍ径の通気孔を無数に形成したものを、さらに後加工として電解研磨処理を行い、圧延形成で生じる金属板表面の粗さ、および、エッチング加工で生じた通気孔間口のエッヂ、通気孔内面の加工粗さを、ミクロンオーダーまで平坦化させた金属フィルタで構成しているため、旋回流が滑らかに流れることが可能である。
【００３５】
また、ろ過フィルタ１１４の素材としては、樹脂や金属製の格子網を用いても良い。また、ろ過フィルタ１１４の代用として筒自体に小さな孔を構成して形成してもよい。
【００３６】
次に、第１分離部１１１において分離された、ろ過フィルタ１１４の孔より小さい細塵と空気との分離を行う第２分離部１２２について説明する。
【００３７】
細塵を含んだ空気は、各分離筒１２１にそれぞれ供給され、分離筒１２１の内壁面を勢い良く旋回しながら下方へ移動する。この際に生じる遠心力によって空気と細塵が分離される。そして、細塵と分離された空気は、分離筒１２１中央部を上昇し、排気筒１４１から排気され、細塵は分離筒１２１下部の細塵廃棄口１２７から細塵移送部１２５に排出される。
【００３８】
ここで、集塵装置１４は、図１に示すように、通常使用時において鉛直方向に対して傾
くように掃除機本体１１に取り付けられているため、細塵は、重力により効果的に細塵移送部１２５から細塵収容部１９内の下方細塵収容部１２９へ送られる。
【００３９】
また、天井掃除などの高所掃除をする場合は、図４に示すように掃除機本体１１および集塵装置１４が、図１に示す通常使用時と比較して上下逆の位置で用いられる。ここで、細塵収容部１９が下方細塵収容部１２９のみで構成された場合、図５（ａ）に示すように、下方細塵収容部１２９に溜まった細塵が、重力によって矢印Ａで示すように細塵移送部１２５に戻るため、矢印Ｂで示すように、細塵廃棄口１２７から分離筒１２１に入り、排気口１０５から集塵装置１４外へ排出されてしまう可能性がある。
【００４０】
本実施の形態では、集塵装置１４と電動送風機ケース１５との間にプリーツフィルタ１６を配しているため、電動送風機内に細塵が侵入することはないが、プリーツフィルタ１６に細塵が付着するため、プリーツフィルタ１６の手入れ頻度が上がってしまうという問題が起こる。
【００４１】
しかしながら、本実施の形態では、下方細塵収容部１２９と連通した上方細塵収容部１３０を有することにより、図５（ｂ）に示すように、集塵装置１４を上下逆に使用しても下方細塵収容部１２９内の細塵は矢印Ｃ示すように上方細塵収容部１３０に移動するため、逆流した細塵が集塵装置１４の外に出ることを抑制することができる。
【００４２】
また、逆流した細塵が細塵移送部１２５へ入ったとしても、分離筒１２１下部の細塵廃棄口１２７が細塵移送部１２５の天面１２８から細塵移送部１２５へ飛び出した形で構成されているため、矢印Ｄで示すように細塵が重力に逆らって一旦上方に移動しないと細塵廃棄口１２７から分離筒１２１へ逆流しないため、細塵廃棄口１２７から分離筒１２１へ細塵が入り込みにくい構成となっている。
【００４３】
そして、集塵後に粗塵収容部１１２と細塵収容部１９に集塵された各々の塵埃は、塵埃排出蓋１０４を開けることで同時に排出することができる。
【産業上の利用可能性】
【００４４】
以上のように、本発明にかかる電気掃除機は、集塵装置を上下逆に使用しても塵埃が逆流して分離筒から集塵装置外部へ流出することを抑制することが可能となる。そのため、スティックタイプの電気掃除機だけでなく、キャニスタータイプの電気掃除機に使用しても電気掃除機本体がひっくり返っても塵埃が逆流して集塵装置外部へ流出することを抑制することが可能となる。
【符号の説明】
【００４５】
１０  電気掃除機
１１  掃除機本体
１２  吸引具
１３  パイプ
１４  集塵装置
１５  電動送風機ケース
１６  プリーツフィルタ
１７  本体排気口
１８  バッテリーケース
１９  細塵収容部
１０２  ケース
１０４  塵埃排出蓋
１０５  排気口
１０７  導入口
１０８  ヒンジ部
１１１  第１分離部
１１２  粗塵収容部
１１３  ケース上部
１１４  ろ過フィルタ
１１５  空間
１１６  ケース下部
１１７  中空円筒
１２１  分離筒
１２２  第２分離部
１２５  細塵移送部
１２６  底面
１２７  細塵廃棄口
１２８  天面
１２９  下方細塵収容部
１３０  上方細塵収容部
１４１  排気筒
【図１】
2020044061.tif 000003
【図２】
2020044061.tif 000004
【図３】
2020044061.tif 000005
【図４】
2020044061.tif 000006
【図５】
2020044061.tif 000007